(57)【要約】【課題】製品出荷後の着荷や設置作業時における結露の発生を防止し、ユーザを待たせたり、着荷作業が長くなったり、画像が劣化するのを防止するようにする。【解決手段】ＡＣ電源のＯＦＦ時には、キャパシタ１４９からの電力を制御部１４６やキャパシタ充放電回路１４８に供給し、ＡＣ電源のＯＮ時には、ＡＣ電源を供給することにより、充電器１４４から供給される電源が制御部１４６とキャパシタ放電回路１４８に供給される。サービスマンがユーザに出荷前に、結露防止スイッチ１５１を押下すると、キャパシタ充放電回路１４８は、放電動作を行って結露防止ヒータ１５４，１５５に電力が供給される。【選択図】        図３
2005091687.tif 000002
【特許請求の範囲】
【請求項１】
光学系部品を用いて記録紙に画像を形成する画像形成装置であって、
充電可能な補助電源と、
前記補助電源からの電力供給によって発熱する発熱部材と、
を備え、
装置本体の主電源未投入時においても、前記補助電源から前記発熱部材に対して電力供給できるようにしたことを特徴とする画像形成装置。
【請求項２】
前記発熱部材は、装置本体内部に複数個設けられ、
前記補助電源から複数の発熱部材に対して選択的に電力供給可能な切り替え部を備えていることを特徴とする請求項１に記載の画像形成装置。
【請求項３】
前記複数の発熱部材は、定着装置に用いられる定着ヒータと、装置本体内部の結露を防止する結露防止ヒータの少なくとも一方を含み、
前記切り替え部で使用状況に応じて電力供給先を切り替えるようにしたことを特徴とする請求項２に記載の画像形成装置。
【請求項４】
前記補助電源から前記発熱部材に対して電力を供給している間は、電力供給中であることを操作者に通知する通知部をさらに備えていることを特徴とする請求項１〜３のいずれか一つに記載の画像形成装置。
【発明の詳細な説明】
【技術分野】
【０００１】
本発明は、光学系部品を用いて記録紙に画像を形成する画像形成装置に関するものである。
【背景技術】
【０００２】
従来、複写機やプリンタなどの画像形成装置においては、供給トレイ内にある記録紙の吸湿を防止するため、あるいは、原稿画像の読み取り部に設けられたミラーやレンズ等の光学部品が結露するのを防止するために、画像形成装置内に５〜２０Ｗ程度のヒータが設けられていた。このような除湿ヒータは、リレーによって電源がＯＦＦされた時、あるいは、省エネモード（オフモード）と呼ばれるメイン制御部にのみ電源供給される状態に入った時に通電されるものがよく見られる。
【０００３】
また、画像形成装置の立ち上げ時やコピー時などにおいて、定着ヒータへの電力供給を補助するため、電気二重層コンデンサ等の補助電源と補助ヒータを設置する技術も公知である（特許文献１および２参照）。
【０００４】
【特許文献１】特開２００２−２８０１４６号公報
【特許文献２】特開平５−２４１３８７号公報
【発明の開示】
【発明が解決しようとする課題】
【０００５】
しかしながら、このような従来の画像形成装置にあっては、上記特許文献１および２に示す手段も確かに有効ではあるが、例えば、製品出荷時などに、電源コンセントを差して直ぐにメインスイッチをＯＮしても結露ヒータによる結露除去はできず、機械が結露状態のままウォーミングアップ動作やコピー動作を行うと、読取系のミラーが結露している場合、ミラーの水滴付着による画像異常が発生するという問題があった。
【０００６】
また、感光体に水分が付着した場合は、帯電不良によりトナーが付着せず、また付着したとしても感光体表面の水分によって像が歪む等の画像異常が発生するという問題があった。
【０００７】
さらに、搬送経路の結露による用紙の水分付着、あるいは、紙分離の帯電器の結露によるリークによって紙分離不良を起こした場合は、紙詰まりを発生させるという問題があり、製品出荷時にこれらの現象が発生すると、消費者の不審を招き、製品のイメージダウンにつながる。
【０００８】
そこで、結露を除去する方法としては、装置内外に温度センサを設けて電源ＯＮ時に装置の内部温度を上昇させる方法が考えられるが、温度センサを装着する個所によっては測定温度と実際の温度に誤差が生じてしまい、結露状態か否かの判断を誤る可能性がある上、温度センサや湿度センサを複数装着するとその分コストアップになるという問題があった。
【０００９】
また、製品出荷時にユーザ先で結露防止ヒータを通電したり、電源を投入した後、スタンバイ状態でしばらく置いておくことで機械内部が暖まり、結露を除去することは勿論可能であるが、その間ユーザを待たせたり、サービスマンの着荷作業時間が長くなって、効率的でなくなるという問題があった。
【００１０】
本発明は、上記に鑑みてなされたものであって、製品出荷後の着荷や設置作業時における結露の発生を防止し、ユーザを待たせたり、着荷作業が長くなるのを防ぐと共に、結露を原因とする画像の劣化を防止することができる画像形成装置を提供することを目的とする。
【課題を解決するための手段】
【００１１】
上述した課題を解決し、目的を達成するために、請求項１にかかる発明は、光学系部品を用いて記録紙に画像を形成する画像形成装置であって、充電可能な補助電源と、前記補助電源からの電力供給によって発熱する発熱部材と、を備え、装置本体の主電源未投入時においても、前記補助電源から前記発熱部材に対して電力供給できるようにしたことを特徴とする。
【００１２】
また、請求項２にかかる発明は、請求項１に記載の画像形成装置において、前記発熱部材は、装置本体内部に複数個設けられ、前記補助電源から複数の発熱部材に対して選択的に電力供給可能な切り替え部を備えていることを特徴とする。
【００１３】
また、請求項３にかかる発明は、請求項２に記載の画像形成装置において、前記複数の発熱部材は、定着装置に用いられる定着ヒータと、装置本体内部の結露を防止する結露防止ヒータの少なくとも一方を含み、前記切り替え部で使用状況に応じて電力供給先を切り替えるようにしたことを特徴とする。
【００１４】
また、請求項４にかかる発明は、請求項１〜３のいずれか一つに記載の画像形成装置において、前記補助電源から前記発熱部材に対して電力を供給している間は、電力供給中であることを操作者に通知する通知部をさらに備えていることを特徴とする。
【発明の効果】
【００１５】
請求項１にかかる画像形成装置は、装置本体の主電源が未投入時でも、充電可能な補助電源から発熱部材に対して電力供給を行って発熱させることができるため、製品を設置するためにユーザ先を訪問する前に、補助電源から発熱部材に対して事前に電力を供給して機械内部を温めておくことで、着荷、設置作業時の結露の発生が防止できる上、ユーザを待たせたり、着荷作業が長くなるという不具合が回避できるという効果を奏する。
【００１６】
請求項２にかかる画像形成装置は、装置本体内部に発熱部材が複数個設けられていて、補助電源から複数の発熱部材に対する電力供給を切り替え部によって選択的に行うことができる。このため、例えば、結露に対して有効な箇所に設置した発熱部材を選んで電力供給すれば、製品を設置するためにユーザ先に訪問する時などにおいて、着荷、設置作業時の結露の発生を効率的に防止することが可能となり、ユーザの待ち時間がなくなって、着荷作業をより短時間で効率的に行えるという効果を奏する。
【００１７】
請求項３にかかる画像形成装置は、複数の発熱部材が定着ヒータと結露防止ヒータの少なくとも一方を含んでいて、使用状況に応じて切り替え部によって電力供給先を切り替えるようにしたため、主電源未投入時においては結露に対して有効な箇所に設置した結露防止ヒータに対して電力供給を行うことにより、製品を設置するためにユーザ先を訪問する前に機械内部を温めることで結露の発生が未然に防げるという効果を奏する。また、主電源投入後は、定着ヒータ側に電力供給先を切り替えることにより、主電源の補助として定着ヒータの立ち上げ時間が短縮できるという効果を奏する。
【００１８】
請求項４にかかる画像形成装置は、補助電源から発熱部材に対して電力を供給している間は、電力供給中であることを通知する通知部を備えているため、ユーザやサービスマンに対して主電源（ＡＣ電源）が供給されていない状態にあるが、補助電源から電力を供給し、一部高温となっている個所があることを知らせることができるため、火傷等の事故の発生を未然に防止できる効果を奏する。
【発明を実施するための最良の形態】
【００１９】
以下に、本発明にかかる画像形成装置の実施例を図面に基づいて詳細に説明する。なお、この実施例によりこの発明が限定されるものではない。
【００２０】
図１は、本発明に用いられる画像形成装置の全体構成を説明する断面である。図１に示す画像形成装置は、複写機、プリンタ、ファクシミリなどの機能をあわせ持った複合機であり、図示していない操作部のアプリケーション切り替えキーを使い、複写機能、プリンタ機能、ファクシミリ機能を順次切り替えて選択できるようになっている。つまり、複写機能の選択時には複写モードとなり、プリンタ機能の選択時にはプリントモードとなり、ファクシミリモードの選択時にはファクシミリモードとなる。
【００２１】
まず、図１の画像形成装置は、自動原稿送り装置（以下、ＡＤＦという）１０１、原稿台１０２、給送ローラ１０３、給送ベルト１０４、原稿台１０５、画像読み取り装置１０６、排送ローラ１０７、排紙台１０８、原稿セット検知器１０９、第１給紙装置１１０、第２給紙装置１１１、第３給紙装置１１２、第１トレイ１１３、第２トレイ１１４、第３トレイ１１５、縦搬送ユニット１１６、感光体１１７、書き込みユニット１１８、現像装置１１９、搬送ベルト１２０、定着装置１２１、排紙ユニット１２２、排紙トレイ１２３、両面入紙搬送路１２４、反転ユニット１２５、両面搬送ユニット１２６、反転排紙搬送路１２７、光源１２８、ミラー１２９〜１３１、レンズ１３２、撮像素子１３３、レーザ光源１３４、レンズ１３５、および、ポリゴンミラー１３６などで構成されている。
【００２２】
この画像形成装置の複写モードにおける動作は、ＡＤＦ１０１において、原稿台１０２上に原稿束がその画像面を上にして置かれ、図示しない操作部上のスタートキーが押下されると、一番下の原稿が給送ローラ１０３と給送ベルト１０４によってコンタクトガラスからなる原稿台１０５上の所定の位置に給送される。このＡＤＦ１０１は、一枚の原稿の給送完了毎に原稿枚数をカウントアップするカウント機能を有している。
【００２３】
コンタクトガラス１０５上の原稿は、画像入力を行う画像読み取り装置１０６によって画像情報が読み取られた後、給送ベルト１０４と排送ローラ１０７とによって排紙台１０８上に排出される。そして、原稿セット検知器１０９によって原稿台１０２上に次の原稿が有ることが検知されると、同様にして原稿台１０２上の一番下の原稿が給紙ローラ１０３と給送ベルト１０４によってコンタクトガラス１０５上の所定の位置に給送され、上記動作が繰り返される。上記した給送ローラ１０３、給送ベルト１０４および排送ローラ１０７は、搬送モータによって駆動される。
【００２４】
給紙を行う第１給紙装置１１０、第２給紙装置１１１、第３給紙装置１１２は、選択された時に各々第１トレイ１１３、第２トレイ１１４、第３トレイ１１５に積載された転写材としての転写紙からなる用紙を給紙し、この転写紙は縦搬送ユニット１１６によって像担持体としての感光体１１７に当接する位置まで搬送される。感光体１１７は、ここでは感光体ドラムが用いられ、メインモータにより回転駆動される。
【００２５】
画像読み取り装置１０６は、コンタクトガラス１０５上の原稿に対して、水平方向に光源１２８を移動しながら光を照射し、その反射光をミラー１２９〜１３１を介して、レンズ１３２で焦点調整を行って、撮像素子１３３の受光面で像を結ぶことにより、原稿の画像データを読み取る。このようにして、原稿から読み込まれた画像データは、図示しない画像処理手段を介して書き込み手段としての書き込みユニット１１８によって光情報に変換される。
【００２６】
書き込みユニット１１８は、上記画像読み取り装置１０６によって読み込んだ原稿の画像データを画像処理して光情報に変換し、レーザ光源１３４からレンズ１３５を介して、ポリゴンミラー１３６によりレーザを走査しながら感光体１１７に照射し、露光させるものである。
【００２７】
この感光体１１７は、図示しない帯電器によってその表面を一様に帯電した後、上記書き込みユニット１１８からの光情報で露光することにより静電潜像が形成される。この感光体１１７上に形成された静電潜像は、現像装置１１９によって現像されてトナー像となる。
【００２８】
一方、搬送ベルト１２０は、用紙の搬送と転写手段とを兼ねており、電源から転写バイアスが印加され、縦搬送ユニット１１６からの転写紙を感光体１１７と等速で搬送しながら感光体１１７上のトナー像を転写紙に転写させるようにする。この転写紙は、定着装置１２１によってトナー像が定着され、排紙ユニット１２２により排紙トレイ１２３に排出される。この定着装置１２１は、立ち上げ時にＡＣ電源と共に、本発明の充電可能な補助電源からの電力供給によって発熱する発熱部材である。トナー像転写後の感光体１１７は、図示しないクリーニング装置によってクリーニングされ、次の画像形成に備える。
【００２９】
上述した画像形成動作は、通常のモードで用紙の片面に画像を複写する時の動作であるが、両面モードで転写紙の両面に画像を複写する場合には、各給紙トレイ１１３〜１１５のいずれかにより給紙されて表面に上述のように画像が形成された転写紙は、排紙ユニット１２２により排紙トレイ１２３側ではなく、両面入紙搬送路１２４側に切り替えられ、反転ユニット１２５によりスイッチバックされて表裏が反転され、両面搬送ユニット１２６へ搬送される。この両面搬送ユニット１２６へ搬送された転写紙は、両面搬送ユニット１２６により縦搬送ユニット１１６へ搬送され、縦搬送ユニット１１６によって感光体１１７に当接する位置まで搬送され、感光体１１７上に上述と同様に形成されたトナー像が裏面に転写されて定着装置１２１でトナー像が定着されることにより両面コピーとなる。この両面コピーは排紙ユニット１２２により排紙トレイ１２３に排出される。
【００３０】
また、転写紙を反転して排出する場合には、反転ユニット１２５によりスイッチバックされて表裏が反転された転写紙は、両面搬送ユニット１２６に搬送されずに反転排紙搬送路１２７を経て排紙ユニット１２２により排紙トレイ１２３に排出される。
【００３１】
さらに、プリントモードでは、上記した画像読み取り装置１０６からの画像データの代りに、外部からの画像データが書き込みユニット１１８に入力され、上述と同様にして転写紙上に画像が形成される。
【００３２】
また、ファクシミリモードでは、上記した画像読み取り装置１０６からの画像データが図示しないファクシミリ送受信部により相手方に送信され、相手からの画像データがファクシミリ送受信部で受信されると、上記の画像読み取り装置１０６からの画像データの代りに書き込みユニット１１８に入力されることにより、上述と同様にして転写紙上に画像が形成される。
【００３３】
本実施例では、この発明の発熱部材として、上述した定着装置１２１に定着ヒータが設けられている他、結露を防止するための結露防止ヒータが上述した画像読み取り装置１０６のレンズやミラー等の光学系部品、あるいは、転写紙を搬送する搬送路の近くの複数箇所にそれぞれ設けられている。
【００３４】
さらに、この発明に用いられる補助電源の一例として、大容量キャパシタを使用している。図２は、本実施例にかかる画像形成装置の補助電源の構成図である。
【００３５】
図２に示す補助電源は、ＡＣ電源１４０、主電源スイッチ１４１、入力電流検出回路１４２、ＤＣ電源生成部１４３、充電器１４４、ＡＣヒータ駆動回路１４５、制御部１４６、定着ローラ１４７、定着ヒータ１４７ａ、ＡＣ定着ヒータ１４７ｂ、キャパシタ充放電回路１４８、キャパシタ１４９、および定着サーミスタ１５０などにより構成されている。
【００３６】
次に、この補助電源の動作について説明する。図２に示すように、ＡＣ電源１４０は、主電源スイッチ１４１を介して画像形成装置のＤＣ電源を生成するＤＣ電源生成部１４３と、キャパシタ１４９を充電するための充電器１４４、および、ＡＣヒータ駆動回路１４５に入力され、それらのＡＣ電源としての入力電流を検出する入力電流検出回路１４２を設け、その入力電流値を制御部１４６に入力する。
【００３７】
定着ローラ１４７には、発熱部材である定着ヒータ１４７ａ、およびＡＣ定着ヒータ１４７ｂが設けられている。そのＡＣ定着ヒータ１４７ｂは、ＡＣ電源１４０をＡＣヒータ駆動回路１４５によりＯＮ／ＯＦＦ制御される。また、定着ヒータ１４７ａは、キャパシタ充放電回路１４８を介してキャパシタ１４９と接続されている。そのキャパシタ１４９は、大容量のキャパシタであり、充電器１４４により充電される。この充電器１４４は、主電源スイッチ１４１を介してＡＣ電源１４０が入力され、画像形成装置の制御部１４６からの信号Ｓ１によりキャパシタ１４９への出力がＯＮ／ＯＦＦされる。
【００３８】
さらに、充電器１４４によってキャパシタ１４９に充電された電力は、キャパシタ充放電回路１４８により定着ヒータ１４７ａに供給される。主電源スイッチ１４１を介したＡＣ電源１４０は、画像形成装置のＤＣ電源を生成するＤＣ電源生成部１４３へも入力される。このＤＣ電源生成部１４３は、画像形成装置内部で主に制御系で使用される電源Ｖｃｃと、主に駆動系、中高圧電源に使用される電源Ｖａａを生成する。
【００３９】
また、定着ローラ１４７の近傍には、定着ローラ１４７の表面温度を検出するための定着サーミスタ１５０が設けられており、このサーミスタの抵抗値が温度により変化することによって制御部１４６が定着ローラ１４７の表面温度を検出する。
【００４０】
次に、図３は、本発明の特徴的な構成を示すブロック図である。この図３における定着ヒータ１４７ａ、キャパシタ充放電回路１４８、キャパシタ１４９、および制御部１４６については、図２と同一の構成部を示しているため、同一符号が付してある。
【００４１】
まず、図３に示す制御部１４６とキャパシタ放電回路１４８については、ＡＣ電源のＯＦＦ時には、二次電池等による補助電源（以下、バックアップ電源ともいう）を供給するように構成されている。これを図２で説明すると、ＡＣ電源１４０の投入時には、ＡＣ電源が供給されることによって、ＤＣ電源を生成する充電器１４４から供給される電源が制御部１４６とキャパシタ放電回路１４８に供給され、ＡＣ電源１４０のＯＦＦ時には、バックアップ電源であるキャパシタ１４９から電源が供給されるようになっている。
【００４２】
このキャパシタ１４９は、工場出荷時、もしくはサービスマンがユーザに出荷する前に予め充電しておくようにする。そして、ユーザはアクセスできないが、サービスマンのみがアクセス可能な場所に図３の結露防止スイッチ１５１が設置されている。
【００４３】
そして、サービスマンがユーザに出荷する直前に、この結露防止スイッチ１５１を押下すると、制御部１４６にて結露防止スイッチ１５１の押下を検知し、キャパシタ充放電回路１４８に放電命令を送る。この放電命令を受けたキャパシタ充放電回路１４８は、放電動作を行うことにより、工場出荷時に充電されたキャパシタ１４９から、発熱部材としてのヒータに電力が供給される。
【００４４】
本実施例では、上記のような構成とすることで、ユーザ出荷前に画像形成装置内部に設けられたヒータに電源が供給されて加熱動作が行われ、装置内部の温度を上昇させることによって、外部との温度差が発生し、結露を防止することができる。
【００４５】
また、図３に示すように、ＡＣ電源が入力されることによりオープンになる、ノーマルクローズＡＣリレー１５２をキャパシタ充放電回路１４８から結露防止ヒータ１５４，１５５に電源を供給するラインに設置してある。また、ＡＣ電源が入力されることによりクローズとなる、ノーマルオープンＡＣリレー１５３をキャパシタ充放電回路１４８から定着ヒータ１４７ａに電源を供給するラインに設置すると、ＡＣ電源ＯＮ時には、定着ヒータ１４７ａに電源が供給され、ＡＣ電源ＯＦＦ時には、結露の影響を受けやすい箇所（例えば、感光体周辺、スキャナユニット等）に設置した結露防止ヒータ１５４，１５５に電力が供給できるようになり、ＡＣ電源ＯＦＦ時における結露防止を効果的に行うことができる。つまり、ここではノーマルクローズＡＣリレー１５２とノーマルオープンＡＣリレー１５３が切り替え部を構成している。
【００４６】
なお、制御部１４６は、ＡＣ電源が入力されたことを検知すると、強制的にキャパシタ放電をＯＦＦするように制御を行い、ＡＣ電源入力時においては、通常の制御を行うように構成している。
【００４７】
図４は、上記した図２におけるキャパシタ充放電回路の動作を説明するフローチャートである。まず、ステップＳ４００にて結露防止スイッチ１５１が押下（ＯＮ）されたか否かを判断し、押下されていない場合はステップＳ４０１で放電をＯＦＦし、また、ステップＳ４００にて結露防止スイッチ１５１が押下（ＯＮ）された場合は、ステップＳ４０２で放電をＯＮした後、ステップＳ４０３でＡＣ電源の入力の有無を判断する。
【００４８】
ステップＳ４０３でＡＣ電源の入力がない場合は、ステップＳ４００に戻って上記動作が繰り返される。しかし、ステップＳ４０３でＡＣ電源入力があった場合は、ステップＳ４０４で放電がＯＦＦされる。
【００４９】
また、図５は、ＡＣ電源が供給されていない状態で装置内部が高温になっていることを通知する警告ＬＥＤの点灯動作を説明するフローチャートである。図５に示すように、ステップＳ５００にて結露防止スイッチ１５１が押下（ＯＮ）されたか否かを判断し、押下されていない場合はステップＳ５０１で放電をＯＦＦした後、図３に示す操作部１５６内に設けられた警告ＬＥＤ１５６ａもＯＦＦする（ステップＳ５０２）。また、ステップＳ５００にて結露防止スイッチ１５１が押下（ＯＮ）された場合は、ステップＳ５０３で放電をＯＮした後、上記警告ＬＥＤ１５６ａをＯＮする（ステップＳ５０４）。その後、ステップＳ５０５において、ＡＣ電源の入力の有無を判断する。
【００５０】
ステップＳ５０５でＡＣ電源の入力がない場合は、ステップＳ５００に戻って上記動作が繰り返される。しかし、ステップＳ５０５でＡＣ電源入力があった場合は、ステップＳ５０６で放電をＯＦＦし、これと共に警告ＬＥＤ１５６ａもＯＦＦする（ステップＳ５０７）。
【００５１】
すなわち、ＡＣ電源が供給されていない状態で、装置内部が高温になっている状態は、結露防止スイッチ１５１を投入したサービスマン以外は認知しにくい状態であり、設置に同行した別のサービスマンやユーザなどが誤って高温部に触れて、万一火傷を負うという可能性も否定できない。このため、ＡＣ電源が入っていない状態で結露防止ヒータ１５４，１５５に電力が供給中である場合は、操作部１５６の認知しやすい箇所に設置した警告ＬＥＤ１５６ａを点灯させるように制御部１４６が制御を行い、電力供給を行う構成としている。
【００５２】
このように、ＡＣ電源が入っていない状態で結露防止ヒータ１５４，１５５に電力供給中である場合は、警告ＬＥＤ１５６ａを点灯させて警告表示することで、サービスマンやユーザが誤って高温部に触れる可能性を少なくすることができ、安全性を高めることができる。なお、この実施例では、通知部にＬＥＤを用いて実施したが、必ずしもこれに限るものではなく、操作表示部に文字やグラフィックで警告表示を行ったり、スピーカなどを介して音声やビープ音等で警告通知を行うように構成することも勿論可能である。
【００５３】
以上説明したように、本実施例によれば、製品を設置するためにユーザ先を訪問する前に、充電可能なキャパシタから結露防止ヒータに対して事前に電力を供給し、画像形成装置内部を温めておくことで、着荷、設置作業時の結露の発生を防止すると共に、ユーザを待たせることがなくなり、着荷作業を短時間で済ませることができる。
【００５４】
また、本実施例によれば、結露に対して有効な箇所に設置した結露防止ヒータに対して選択的に電力供給を行うことにより、製品設置のためユーザ先に訪問する場合に、着荷、設置作業時における結露の発生を効率的に防止することができる。
【００５５】
さらに、本実施例によれば、製品設置のためユーザ先を訪問する前のＡＣ電源ＯＦＦ時には、結露に対して有効な箇所に設置した結露防止ヒータに対してキャパシタから電力供給を行って、製品内部を温めることで結露の発生を未然に防止することができる。また、ＡＣ電源がＯＮされた後は、結露防止ヒータから定着ヒータ側に電力供給先を切り替えることで、主電源の補助として定着ヒータの立ち上げ時間を短縮することができ、既存の構成が利用できることから低コストで実現することができる。
【００５６】
また、本実施例によれば、画像形成装置にＡＣ電源が供給されていない状態で、キャパシタから結露防止ヒータに電力供給を行っている場合は、警告ＬＥＤ等を用いてサービスマンやユーザに対して通知し、一部高温となっている個所があることを知らせることにより、火傷等の事故の発生を未然に防ぐことができる。
【産業上の利用可能性】
【００５７】
以上のように、本発明にかかる画像形成装置は、光学系部品を用いて記録紙に画像を形成する画像形成装置に有用であり、特に、複写機、ファクシミリ、プリンタ、あるいは、それらの複合機といった画像形成装置の着荷、設置作業時における結露発生を防止するのに適している。
【図面の簡単な説明】
【００５８】
【図１】本発明に用いられる画像形成装置の全体構成を説明する断面図である。
【図２】本実施例にかかる画像形成装置の補助電源の構成図である。
【図３】本発明の特徴的な構成を示すブロック図である。
【図４】図２におけるキャパシタ充放電回路の動作を説明するフローチャートである。
【図５】ＡＣ電源が供給されていない状態で装置内部が高温になっていることを通知する警告ＬＥＤの点灯動作を説明するフローチャートである。
【符号の説明】
【００５９】
１０１  自動原稿送り装置（ＡＤＦ）
１０２  原稿台
１０３  給送ローラ
１０４  給送ベルト
１０５  原稿台
１０６  画像読み取り装置
１０７  排送ローラ
１０８  排紙台
１０９  原稿セット検知器
１１０  第１給紙装置
１１１  第２給紙装置
１１２  第３給紙装置
１１３  第１トレイ
１１４  第２トレイ
１１５  第３トレイ
１１６  縦搬送ユニット
１１７  感光体
１１８  書き込みユニット
１１９  現像装置
１２０  搬送ベルト
１２１  定着装置
１２２  排紙ユニット
１２３  排紙トレイ
１２４  両面入紙搬送路
１２５  反転ユニット
１２６  両面搬送ユニット
１２７  反転排紙搬送路
１２８  光源
１２９〜１３１  ミラー
１３２  レンズ
１３３  撮像素子
１３４  レーザ光源
１３５  レンズ
１３６  ポリゴンミラー
１４０  ＡＣ電源
１４１  主電源スイッチ
１４２  入力電流検出回路
１４３  ＤＣ電源生成部
１４４  充電器
１４５  ＡＣヒータ駆動回路
１４６  制御部
１４７  定着ローラ
１４７ａ  定着ヒータ
１４７ｂ  ＡＣ定着ヒータ
１４８  キャパシタ充放電回路
１４９  キャパシタ
１５０  定着サーミスタ
１５１  結露防止スイッチ
１５２  ノーマルクローズＡＣリレー
１５３  ノーマルオープンＡＣリレー
１５４，１５５  結露防止ヒータ
１５６  操作部
１５６ａ  警告ＬＥＤ
【図１】
2005091687.tif 000003
【図２】
2005091687.tif 000004
【図３】
2005091687.tif 000005
【図４】
2005091687.tif 000006
【図５】
2005091687.tif 000007